(57)【要約】【課題】  ワイヤを使って遊技機前枠の不正開放を防止でき、前枠を開いた際にワイヤが邪魔にならない不正開放防止装置を提供すること。【解決手段】  不正開放防止装置１は、チューブ４の先端をフック５７の近傍に固定し、チューブ４の先端から引き出されたワイヤ５をフック５７に連結し、ケース３内のリールでワイヤ５を巻き取った後、リールの動きをロックすることにより、ワイヤ５をチューブ４から引き出せない状態にして、フック５７の回動を阻止することにより、前枠５４を開放できないようにする。リールのロックを解除すれば、フック５７の回動に追従してワイヤ５がチューブ４から引き出されるので、フック５７の回動は阻止されず、前枠５４を開放することができるようになる。チューブ４は、細長くて柔軟なので、邪魔にならない経路上に配設でき、遊技機内が狭くても配設できる。【選択図】  図５
2005118383.tif 000002
【特許請求の範囲】
【請求項１】
開閉可能な前枠と、該前枠を閉じたときに第１の位置に移動して前記前枠の開放を阻止する状態になる一方、第２の位置に移動させると前記前枠の開放を阻止しない状態になるフックとを備えた遊技機において、前記前枠が不正に開放されるのを防止する遊技機用の不正開放防止装置であって、
任意に湾曲させて配設可能で、一方の端部を基端、他方の端部を先端として、先端側が前記フックの近傍に固定されるチューブと、
該チューブに通されており、一方の端部を基端、他方の端部を先端として、先端側が前記チューブの先端から外部へ引き出されて前記フックに連結され、前記フックが前記第１の位置から前記第２の位置へ移動すると、該フックに追従して前記チューブの先端から引き出される方向へ移動するワイヤと、
前記フックが前記第１の位置から前記第２の位置へ移動する際には、前記ワイヤが前記フックに追従して先端方向へ移動するのを許容する一方、前記フックが前記第２の位置から前記第１の位置へ移動した際には、前記チューブの基端側で前記ワイヤを引っ張ることにより、前記チューブの先端から外部へ引き出された前記ワイヤの一部が弛むのを防止する引張手段と、
前記ワイヤの移動を阻止するロック状態、または前記ワイヤの移動を許容するアンロック状態に切り替え可能で、前記ロック状態に切り替えられた際に前記ワイヤが先端方向へ移動するのを阻止することにより、前記フックが前記第１の位置から前記第２の位置へ移動するのを阻止可能なロック手段と
を備えたことを特徴とする遊技機用の不正開放防止装置。
【請求項２】
前記引張手段は、前記フックが前記第２の位置から前記第１の位置へ移動した際に、順方向へ回転して前記ワイヤを巻き取ることにより、前記チューブの基端側で前記ワイヤを引っ張る一方、前記フックが前記第１の位置から前記第２の位置へ移動する際には、逆方向へ回転して前記ワイヤを繰り出すリールであり、
前記ロック手段は、前記ロック状態において前記リールの前記逆方向への回転を阻止する状態になる
ことを特徴とする請求項１に記載の遊技機用の不正開放防止装置。
【請求項３】
前記ロック手段は、
前記リールに当接して該リールの前記逆方向への回転を阻止するロック位置、または前記リールから離間して該リールの前記逆方向への回転を阻止しないアンロック位置へ移動可能な可動部材と、
該可動部材を前記ロック位置または前記アンロック位置へと移動させるアクチュエータと
を備えてなることを特徴とする請求項２に記載の遊技機用の不正開放防止装置。
【請求項４】
前記アクチュエータがモータである
ことを特徴とする請求項３に記載の遊技機用の不正開放防止装置。
【請求項５】
前記ワイヤの切断を検知する断線検知手段
を備えたことを特徴とする請求項１〜請求項４のいずれかに記載の遊技機用の不正開放防止装置。
【請求項６】
請求項１〜請求項５のいずれかに記載の遊技機用の不正開放防止装置を備えていることを特徴とする遊技場の島設備。
【発明の詳細な説明】
【技術分野】
【０００１】
本発明は、本体の正面側に開閉可能な前枠を備えてなる遊技機において、合鍵等を使って前枠を開放する不正行為を防止するために用いられる遊技機用の不正開放防止装置と、この不正開放防止装置を備えた遊技場の島設備に関する。
【背景技術】
【０００２】
従来から、パチンコ機に代表される弾球遊技機、あるいは回胴式遊技機（以下、これらを総称して単に遊技機という）において、遊技機の内部に配設されたＲＯＭや基板が、不正なものと交換されることが問題となっている。
【０００３】
例えば、遊技場の営業時間外に遊技場に忍び込んだ者が、遊技機の前枠を開いて正規なＲＯＭや基板を不正なＲＯＭや基板と交換し、これにより、いわゆる大当たりの発生確率を高くしたり、大当たりの連続発生回数を増大させたりするなどの不正改造が行われる。このような不正改造が行われた場合、そのことを承知で来店した不正な遊技者が特殊な操作等を行うと、通常の遊技では得られないような多量の賞球またはメダルを獲得することができてしまうため、遊技場は多大な金銭的被害を被ることになる。
【０００４】
このような問題に対処するための一手段として、下記特許文献１には、ワイヤを使って前枠の開放を阻止するように構成されたパチンコ機不正開放防止装置が開示されている。このような装置を用いれば、遊技場の営業時間外に遊技機の前枠を開放することができなくなるので、上記のような不正改造を防止できるものと期待された。
【特許文献１】特開平１０−０９４６５２号公報
【発明の開示】
【発明が解決しようとする課題】
【０００５】
しかしながら、上記特許文献１に記載のパチンコ機不正開放防止装置には、以下のような問題があった。
遊技機の内部には、遊技に関わる様々な機器や配線等が存在しているので、新たな機器を配設できるような余分なスペースはほとんど残されていない。そのため、上記従来の不正開放防止装置の場合、リール等の構造物を備えた本体部分が大型化しすぎると、遊技機への取り付けが困難になるという欠点があり、その一方、本体部分を小型化し過ぎると、リール等の構造物の強度が不足してしまうため、強引に前枠の開放が行われた場合に、リール等の構造物の破壊を伴って前枠が開放されてしまうおそれがあった。
【０００６】
また、上記従来の不正開放防止装置において、前枠の開閉時にワイヤが通ることになるスペースに何らかの機器が存在すると、その機器にワイヤの中途部分が接触して、その機器とワイヤとが擦れ合い、機器の故障やワイヤの断線を招くおそれがあるため、こうした事態を避けることができる位置に本体部分を設置しようとすると、本体部分を設置可能な場所はさらに限定されてしまい、装置の取り付けがより一層困難になるという問題があった。
【０００７】
さらに、こうした遊技機内部の機器とワイヤとの干渉を避けるには、不正開放防止装置の本体部分をできるだけ前枠寄りの場所に設置し、本体部分と前枠との間に余計な機器が存在しないようにするという方法を考え得るが、この場合、本体部分を遊技場の島設備側に固定するようなことはできず、本体部分は遊技機内部に固定されることになる。そのため、遊技機の入れ替えを行う際には、不正開放防止装置の本体部分を遊技機から取り外さなければならず、遊技場でしばしば行われる新台入替の際に多大な手間がかかるという欠点もあった。また、遊技機は、規則によって改造が禁じられているため、何らかの電気機器を遊技機内部に増設するだけで規則違反と見なされる場合もあり、不正開放防止装置の本体部分を遊技機内部に増設することが認められないこともあった。
【０００８】
加えて、前枠を開いた際に、遊技機本体側と前枠との間にワイヤが張られた状態になるので、遊技場係員が遊技機内部のメンテナンス作業を実施する際に、ワイヤが邪魔になり、不正開放防止装置を備えていない遊技機に比べて作業性が悪くなってしまうのも問題であった。
【０００９】
本発明は、上記のような諸問題を解決するためになされたものであり、その第１の目的は、強度不足になるほど小型化しなくても、比較的狭い内部空間しかない遊技機に対して適切に取り付け可能な遊技機用の不正開放防止装置を提供することにある。また、第２の目的は、遊技機内部の機器とワイヤとの接触に伴う機器の故障やワイヤの断線を招かないように取り付け可能な遊技機用の不正開放防止装置を提供することにある。また、第３の目的は、電気部品を内蔵する本体部分を遊技機内部に設置しなくてもよい不正開放防止装置を提供することにある。また、第４の目的は、前枠を開いた際にワイヤが邪魔にならない不正開放防止装置を提供することにある。これらに加え、上記各目的を達成した不正開放防止装置を備えた遊技場の島設備を提供することを、第５の目的とする。
【課題を解決するための手段】
【００１０】
以下、上記各目的を達成するためになされた本発明の特徴について詳述する。
本発明の遊技機用の不正開放防止装置は、
開閉可能な前枠と、該前枠を閉じたときに第１の位置に移動して前記前枠の開放を阻止する状態になる一方、第２の位置に移動させると前記前枠の開放を阻止しない状態になるフックとを備えた遊技機において、前記前枠が不正に開放されるのを防止する遊技機用の不正開放防止装置であって、
任意に湾曲させて配設可能で、一方の端部を基端、他方の端部を先端として、先端側が前記フックの近傍に固定されるチューブと、
該チューブに通されており、一方の端部を基端、他方の端部を先端として、先端側が前記チューブの先端から外部へ引き出されて前記フックに連結され、前記フックが前記第１の位置から前記第２の位置へ移動すると、該フックに追従して前記チューブの先端から引き出される方向へ移動するワイヤと、
前記フックが前記第１の位置から前記第２の位置へ移動する際には、前記ワイヤが前記フックに追従して先端方向へ移動するのを許容する一方、前記フックが前記第２の位置から前記第１の位置へ移動した際には、前記チューブの基端側で前記ワイヤを引っ張ることにより、前記チューブの先端から外部へ引き出された前記ワイヤの一部が弛むのを防止する引張手段と、
前記ワイヤの移動を阻止するロック状態、または前記ワイヤの移動を許容するアンロック状態に切り替え可能で、前記ロック状態に切り替えられた際に前記ワイヤが先端方向へ移動するのを阻止することにより、前記フックが前記第１の位置から前記第２の位置へ移動するのを阻止可能なロック手段と
を備えたことを特徴とする。
【００１１】
この遊技機用の不正開放防止装置において、チューブは、任意に湾曲させることができる程度の柔軟性は有するものの、軸方向へは伸縮せず、湾曲させても内腔がつぶれない程度の強度を有するものである。また、内部にワイヤが通されて、ワイヤが軸方向に摺動するため、内面の摩擦抵抗が小さいものほど望ましく、ワイヤの摺動に伴う摩耗が発生しにくいものほど望ましい。
【００１２】
ワイヤは、悪意を持って切断されるようなことが無い限り、通常の運用では切れない程度の強度を有し、且つ、チューブを湾曲させて配設した場合でも基端側または先端側へ引っ張られた際にチューブ内をスムーズに移動できるような線状体である。このような線状体としては、例えば、金属製のワイヤなどが好適であるが、上記のような条件を満足するものであれば、金属以外の材料（例えば、樹脂材料）で形成されたワイヤであってもよいし、微視的な構造については限定されず、例えば、細線を撚り合わせたような構造になっているものでも、鎖のような構造になっているものでもよい。
【００１３】
引張手段は、フックが第１の位置から第２の位置へ移動する際には、ワイヤがフックに追従して先端方向へ移動するのを許容する一方、フックが第２の位置から第１の位置へ移動した際には、チューブの基端側でワイヤを引っ張る機構である。
【００１４】
この引張手段は、上記のような機能を有するものであれば、その具体例な構造については問わないが、一例を挙げれば、例えば、フックが第２の位置から第１の位置へ移動した際に、順方向へ回転してワイヤを巻き取ることにより、チューブの基端側でワイヤを引っ張る一方、フックが第１の位置から第２の位置へ移動する際には、逆方向へ回転してワイヤを繰り出すリールを、引張手段として採用することができる。
【００１５】
このリールは、少なくともワイヤを巻き取るときの回転方向（本発明でいう順方向）へは能動的に回転してワイヤを巻き取ることができるものであり、また、ワイヤを繰り出すときの回転方向（本発明でいう逆方向）へはワイヤが引っ張り出されるのに伴って受動的に回転するか、必要があればいくらか能動的に回転するかして、ワイヤを繰り出すことができるものである。能動的に回転する構造としては、例えば、引っ張り出されるワイヤに従動してリールが回転すると締まるゼンマイを設けて、ゼンマイの力でリールが能動的に回転してワイヤを巻き取るような構造を採用すればよい。また、モーターなどの動力源を設けて、その動力源からの力でリールを回転駆動するような構造を採用しても構わない。
【００１６】
また、引張手段が移動させるワイヤの移動量は、フックが第１の位置から第２の位置へ移動する際に追従して移動する程度の量、例えば数ｃｍ程度なので、必ずしも上記のようなリールでワイヤを巻き取らなくても、ワイヤの基端側を直線的に移動する可動部材に連結して、可動部材を直線的に移動させてワイヤを引っ張る構成としてもよい。このような可動部材は、ソレノイドの力で直線移動させてもよいし、可動部材にラックを設けるとともに、このラックと噛み合うピニオンをモータで駆動することにより直線移動させてもよい。
【００１７】
ロック手段は、ワイヤの移動を阻止するロック状態、またはワイヤの移動を許容するアンロック状態に切り替え可能で、ロック状態に切り替えられた際にワイヤが先端方向へ移動するのを阻止する機構である。
【００１８】
このロック手段についても、上記のような機能を有するものであれば、その具体例な構造については問わないが、一例を挙げれば、例えば、引張手段が上記のようなリールである場合、ロック手段としては、ロック状態においてリールの前記逆方向への回転を阻止する状態になる機構を採用すればよい。
【００１９】
このような機構は、例えば、リールに当接して該リールの前記逆方向への回転を阻止するロック位置、またはリールから離間して該リールの前記逆方向への回転を阻止しないアンロック位置へ移動可能な可動部材と、この可動部材を前記ロック位置または前記アンロック位置へと移動させるアクチュエータとで構成することができる。
【００２０】
アクチュエータで可動部材を動かす場合、アクチュエータとしては、例えばソレノイドやモータなどを利用できるが、モータの場合、減速ギヤとの組み合わせにより、比較的小型のモータでも高トルクを得ることができるので望ましい。モータを利用する場合であれば、可動部材にラックを設けるとともに、このラックと噛み合うピニオンをモータで駆動することにより直線移動させることで、可動部材をロック位置またはアンロック位置へ変位させればよい。
【００２１】
以上のように構成された遊技機用の不正開放防止装置は、チューブの先端がフックの近傍に固定され、その先端から引き出されたワイヤがフックに連結される。これら以外の部分は、どこにでも配設しても構わず、遊技機内に十分なスペースがある場合は、遊技機内に配設しても構わないが、遊技機内に十分なスペースがない場合は、チューブおよびワイヤの基端側を遊技機外へと導出することにより、遊技機外に配設してもよい。いずれの場合とも、チューブは遊技機内において任意に湾曲させて、前枠の開放時に邪魔にならないような経路上に配設され、チューブおよびワイヤの長さは、そのような経路上に配設する上で十分な長さとされる。
【００２２】
遊技機のフックは、前枠を閉じた際に第１の位置に移動し、前枠の開放を阻止する状態になる。このとき、引張手段でワイヤをチューブの基端側へ引っ張った状態にし、ロック手段をロック状態に切り替えると、ワイヤが先端方向へ移動できない状態になり、ワイヤはフックが第１の位置から第２の位置へ移動するのを阻止する。そのため、前枠を開放する際に利用する鍵を使って操作しても、フックを第１の位置から動かすことはできなくなり、その結果、前枠は鍵を使っても開放不能な状態になる。
【００２３】
一方、ロック手段をアンロック状態切り替えると、引張手段およびロック手段は、ワイヤの移動を許容する状態になる。そのため、前枠を開放する際に利用する鍵を使って操作すれば、フックを第１の位置から第２の位置へ動かすことができ、その結果、前枠は鍵を使って開放可能な状態になる。
【００２４】
したがって、この不正開放防止装置を利用すれば、合い鍵を使って前枠を不正に開放するような操作ができなくなるので、例えば、遊技場の営業時間外に遊技機の前枠を開放して、遊技機に改造を加えるような不正行為を防止することができる。
【００２５】
また、この不正開放防止装置は、自由に湾曲させて配設することができる細長いチューブおよびワイヤのみを遊技機内に配設すれば、残りの部分は任意の場所に配設することができる。
【００２６】
したがって、本体部分を遊技機内に配設することが前提となっている上記特許文献１に記載のものとは異なり、チューブおよびワイヤ以外の部分が多少大型化しても問題はなく、強度面等を考慮して所望の大きさに設計しても、この不正開放防止装置を何ら問題なく配設することができる。
【００２７】
さらに、チューブおよびワイヤの先端側の部分を遊技機内に配設し、残りの部分は遊技機外に配設すれば、この残りの部分を遊技場の島設備側に配設することもできる。
したがって、遊技場において遊技機の入れ替えを行う際に、不正開放防止装置の本体部分を遊技機から取り外す手間がかからず、新台入替の際に要する労力を軽減できる。また、遊技機内部に配設される部分をチューブやワイヤなどの非電気部品からなる部分だけとすることができ、電気部品を含む部分を遊技機外に配設することができるので、規則違反となる遊技機の改造に該当すると見なされる可能性は低いと考えられる。
【００２８】
加えて、この不正開放防止装置の場合、前枠を開いた際に、遊技機本体側と前枠との間にワイヤが張られた状態にならないので、遊技場係員が遊技機内部のメンテナンス作業を実施する際に、ワイヤが邪魔になることはなく、不正開放防止装置を備えていない遊技機と同等の作業性を確保できる。
【００２９】
ところで、上記従来の不正開放防止装置では、ワイヤを切断して不正改造を実行する者が現れると、被害を防止するための有効な対策にはならないという問題があった。
より具体的に説明すると、上記特許文献１に記載のパチンコ機不正開放防止装置を装着すれば、遊技機の前枠を大きく開放するようなことはできなくなるのであるが、例えば、前枠に対して無理矢理大きな力を加えるようなことをすると、ワイヤがいくらか伸びたりすることがあり、また、パチンコ機不正開放防止装置の部品間の遊びに起因するガタがあることもあり、これらの蓄積によって前枠がごく僅かだけ開く方向へ動くことがある。そのため、このようにして前枠が僅かに開くと、ヤスリやナイフを隙間から差し込んでワイヤを切断することができるようになる場合があり、ワイヤが切断されてしまうと、遊技機の前枠を大きく開放するようなことができ、不正改造もできてしまう。
【００３０】
もちろん、遊技場の開店前にワイヤが切断されていないかどうかを点検することは不可能ではないが、大規模な遊技場になるほど遊技機の設置台数も多くなり、開店前にすべての遊技機について不正改造が実施されなかったか否かを毎日点検するようなことは現実的ではない。
【００３１】
そのため、仮に上記特許文献１に記載のパチンコ機不正開放防止装置をパチンコ機に装着していたとしても、ワイヤが切断されて不正改造が行われた場合、そのような不正改造に気づくまでに数日以上を要することは多々あり、その間に不正な遊技が行われて被害を受けてしまうという問題があった。
【００３２】
このような問題は、本発明の不正開放防止装置でも、同様に発生するおそれがある。
そこで、このような問題をも防止するには、前記ワイヤの切断を検知する断線検知手段を備えることが望ましい。
【００３３】
この遊技機用の不正開放防止装置において、断線検知手段は、ワイヤの切断を検知することができるものであれば、その具体的な構造は任意である。
一例としては、例えば、前記断線検知手段が、第１の位置または第２の位置へ移動する移動体と、該移動体を前記第２の位置へ移動させるように付勢する付勢部材と、前記移動体が前記第１の位置から前記第２の位置へ移動するのに伴ってオン／オフが切り替わるスイッチとを備えてなり、前記ワイヤが切断されていない状態では、前記リールが順方向へ回転するのに伴って前記ワイヤに張力がかかり、該ワイヤが前記付勢部材の付勢力に抗して前記移動体を前記第１の位置に移動させる一方、前記ワイヤが切断された状態になると、前記ワイヤに張力がかからなくなり、前記移動体が前記付勢部材の付勢力によって前記第２の位置に移動するように構成されているとよい。
【００３４】
また、ワイヤの切断に伴ってワイヤが大きくたるむことが確実であれば、たるんだワイヤそのものがリミットスイッチを作動させるような構造としてもよい。
ただし、ワイヤのたるみがどの程度発生するか定かでない場合には、前述の如き移動体と付勢部材とを用いて、付勢部材の力で移動する移動する移動体をワイヤに当接させてワイヤを強制的にたるませ、移動体が移動したことをもって、ワイヤのたるみ（切断）が発生したことを検知する方が望ましい。
【００３５】
また、この他、断線検知手段は、ワイヤ自体が微弱な電流の流れる電気回路の一部を構成していて、このワイヤが切断されて上記微弱な電流が流れなくなった場合に、ワイヤの切断が発生したと判定するような構成でもよい。
【００３６】
以上のように構成された遊技機用の不正開放防止装置によれば、ワイヤが切断された場合には、そのことを断線検知手段が検知するので、この検知結果に基づいて、不正な改造が行われた疑いのある遊技機の稼働を停止させたり、係員が内部の点検を行うなどの対処を、直ちに実施することができる。
【００３７】
なお、断線検知手段による検知結果をどのように扱うかは任意であるが、一例としては、検知結果を遊技場の係員に通知するという方法が考えられる。
検知結果を遊技場の係員に通知するための具体的な手段は任意であり、例えば、遊技機毎に警告灯を設けておいて、ワイヤの切断を検知した場合には、検知対象となった遊技機に対応する警告灯を点灯させる、といったものでよい。また、遊技島単位など複数の遊技機に対応する１つの警告灯を設けておいて、警告灯が点灯した場合は、それら複数の遊技機すべてを点検対象とするようにしてもよい。
【００３８】
また、単なる警告灯に代えて、７セグメントＬＥＤなどの数値表示器を設けるとともに、遊技機に事前に番号を割り当てておいて、ワイヤの切断を検知した場合には、検知対象となった遊技機に割り当てられた番号を数値表示器に表示するようにしてもよい。
【００３９】
これらの警告灯や数値表示器は、ワイヤの切断を報知するための専用品でなくてもよく、例えば、多くの遊技場において遊技機毎に設けられている公知の呼出ランプが別の目的で備えている発光手段や数値表示手段を、ワイヤの切断報知用として兼用してもよいし、遊技場内の各種装置を統合管理するホールコンピュータのディスプレイに、ワイヤの切断に関する情報を表示するようにしてもよい。
【００４０】
また、上記の具体例は、警告灯や番号表示など、いずれも視覚に訴える通知手段ばかりであるが、検知結果を知らせるための具体的な手段は、警報音などの聴覚に訴える通知手段や、係員の所持するバイブレータを振動させるなど触覚に訴える通知手段であってもよく、これらいくつかの通知手段を併用してもよい。
【００４１】
さらに、断線検知手段による検知結果は、単に係員に対して通知されるだけでもよいが、このような係員に対する通知以外の対処も考えることができ、例えば、断線検知手段による検知結果に基づいて、検知対象となった遊技機の電源や制御装置を制御することにより、その遊技機の稼働を強制的に停止させるようにしてもよい。このような対処は、単独で採用することもできるし、上述の係員に対する通知と併用することもできる。
【００４２】
つまり、本発明において、断線検知手段がワイヤの切断を検知した後の対処方法は、係員への通知や遊技機の稼働停止など、様々な具体的対処方法を考えることができるが、いずれの方法で対処するにしても、ワイヤの切断を検知できなかった従来品とは異なり、直ちに何らかの対処を行うことができるのである。
【００４３】
さらに、以上説明した遊技機用の不正開放防止装置は、一つの独立した装置として構成し、後付で遊技機や島設備に付加するように構成してあってもよいが、初めから島設備の一部として組み込まれていてもよい。
【００４４】
すなわち、請求項１〜請求項５のいずれかに記載の遊技機用の不正開放防止装置を備えている遊技場の島設備として提供することも可能である。
この場合、島設備からは上述のチューブが延びている状態になっていて、遊技機を島設備に設置する際には、チューブの先端が遊技機の前枠との位置関係を考慮して適切な位置に固定される。遊技場においては、遊技機の入れ替えをしばしば行うが、この場合でも、遊技機本体からチューブの先端を取り外し、前枠からワイヤの先端を取り外すだけで、チューブおよびワイヤ以外の構造物はいちいち取り外すことなく、遊技機の入れ替えを行って、新しい遊技機に不正開放防止装置を取り付け直すことができる。
【００４５】
なお、不正開放防止装置を島設備とは別の独立した装置として構成した場合でも、チューブおよびワイヤ以外の構造物を島設備に対して固定すれば、遊技機の入れ替えを行った際に、新しい遊技機に不正開放防止装置を取り付け直す手間を省くことができる。
【発明の効果】
【００４６】
以上の説明から明らかなように、本発明によれば、強度不足になるほど小型化しなくても、比較的狭い内部空間しかない遊技機に対して適切に取り付け可能な遊技機用の不正開放防止装置を提供することができる。
【００４７】
また、遊技機内部の機器とワイヤとの接触に伴う機器の故障やワイヤの断線を招かないように取り付け可能な遊技機用の不正開放防止装置を提供することができる。
また、電気部品を内蔵する本体部分を遊技機内部に設置しなくてもよい不正開放防止装置を提供することができる。
【００４８】
また、前枠を開いた際にワイヤが邪魔にならない不正開放防止装置を提供することができる。
さらに、これらの効果を奏する不正開放防止装置を備えた遊技場の島設備を提供することができる。
【発明を実施するための最良の形態】
【００４９】
次に、本発明の実施形態について一例を挙げて説明する。
図１に示すように、不正開放防止装置１は、ケース３、チューブ４、ワイヤ５、チューブ固定具６を備えてなり、ワイヤ５の先端には、ループをなす連結部７が形成されている。
【００５０】
ケース３の内部には、図２に示すように、順逆両方向に回転可能なリール１１と、リール１１の中央部に組み込まれたゼンマイ１３と、リール１１に固定されてリール１１とともに回転する爪車１５と、爪車１５外周部の爪に引っかかるピン１７と、ワイヤ５にかかっている張力に応じてスライドする第１スライダー１８と、第１スライダー１８が当接するか否かに応じてオン／オフが切り替わる第１リミットスイッチ１９が組み込まれている。
【００５１】
リール１１およびゼンマイ１３は、本発明でいう引張手段を構成するものである。
リール１１は、軸２１を中心に回転可能で、外周部にワイヤ５の一端が連結されていて、順方向（図２中の矢印Ａ１方向）へ回転した際に、ワイヤ５を巻き取る一方、逆方向（図２中の矢印Ａ２方向）へ回転した際に、巻き取っていたワイヤ５を繰り出すことができるようになっている。
【００５２】
ゼンマイ１３は、内側にある一端が軸２１に固定されるとともに、外側にある一端がリール１１に固定され、いくらか締まる方向へ変形した状態で組み込まれることにより、常にリール１１を順方向に回転させるように付勢している。ワイヤ５がケース３から引っ張り出される方向（図２中の矢印Ｂ方向）へ力が作用した際には、ゼンマイ１３の付勢力に逆らってリール１１が逆方向へ回転し、ゼンマイ１３がさらに締まるため、ワイヤ５を引っ張り出す方向への力をゆるめると、ゼンマイ１３の力でリール１１が順方向へ回転し、ワイヤ５がリール１１に巻き取られる。
【００５３】
爪車１５およびピン１７は、本発明でいうロック手段を構成するもので、ピン１７によって爪車１５の回転が規制されるようになっている。
ピン１７は、図３に示すように、スライド動作可能な第２スライダー２３に固定されている。この第２スライダー２３は、モータ２５に駆動されて図３中の矢印Ｃ１方向および矢印Ｃ２方向へ往復移動する構造になっている。より詳しくは、第２スライダー２３にはラック２７が形成され、このラック２７と噛み合うピニオン２９がモータ２５によって回転駆動されるように構成されており、これらにより、第２スライダー２３を往復移動させることができるようになっている。第２スライダー２３を、図３中の矢印Ｃ１方向に変位させた場合、ピン１７は図２において実線で示した位置にあるため、爪車１５の回転が阻止される。すなわち、爪車１５を回転させようとしても、爪車１５がピン１７に当接するため、ピン１７が障害物となり、爪車１５の回転が阻止され、リール１１の回転が阻止される状態（本発明でいうロック状態）になる。一方、第２スライダー２３を、図３中の矢印Ｃ２方向に変位させた場合、ピン１７は図２において破線で示した位置にあるため、爪車１５の回転は阻止されない。すなわち、ピン１７が爪車１５に接触しない位置にあり、ピン１７が障害物とはならないので、爪車１５は回転することができ、リール１１の回転が阻止されない状態（本発明でいうアンロック状態）になる。
【００５４】
第１スライダー１８は、ケース３に形成されたリブ（図示略）に規制されてスライド動作可能に保持されている。ワイヤ５が切断されていない状態においては、ワイヤ５に張力がかかっているため、第１スライダー１８がワイヤ５に引っ張られて、図２中の矢印Ｄ１方向に変位し、これに伴ってコイルスプリング３１を圧縮する状態になっている。一方、ワイヤ５が切断された場合は、ワイヤ５に張力がかかっていない状態になるため、圧縮されていたコイルスプリング３１が伸張し、第１スライダー１８は、図４中の矢印Ｄ２方向に変位する。
【００５５】
第１リミットスイッチ１９は、図２に示すように第１スライダー１８が当接していないときはオフになり、図４に示すように第１スライダー１８が当接しているときにはオンになるものである。第１スライダー１８は、上述の通り、ワイヤ５が切断されたか否かに応じて２位置に移動するため、第１リミットスイッチ１９がオンになったことをもって、ワイヤ５の断線が発生したことを検出することができる。なお、本装置においては、コイルスプリング３１を設けて第１スライダー１８を矢印Ｄ２方向へ変位するように付勢するとともに、ケース３とチューブ４とを接続する接続具３３の内面についてはテーパ面３３ａを形成することにより、ワイヤ５に張力がかかっていない場合に、ワイヤ５と第１スライダー１８の当接位置付近においてワイヤ５が大きくたるむようにしてある。すなわち、上記のようなテーパ面３３ａが存在しない場合は、その分だけワイヤ５のたるみが小さくなるが、テーパ面３３ａを設けたことにより、ワイヤ５が切断されたときのワイヤ５のたるみが大きくなり、ワイヤ５の切断を確実に第１リミットスイッチ１９で検知できるのである。第１リミットスイッチ１９がオフになっていればワイヤ５が切断されていないと判断でき、第１リミットスイッチ１９がオンになっていれば、ワイヤ５が切断されている疑いがあると判断できるので、このオン信号をワイヤ断検出信号として出力することにより、ワイヤ５が切断されている疑いがある場合に、必要な対処（例えば、警告ランプの点灯制御など）を実施することができる。
【００５６】
これら第１スライダー１８、第１リミットスイッチ１９、およびコイルスプリング３１は、本発明でいう断線検知手段として機能するものである。
なお、図３に示したように、第２スライダー２３が図３中の矢印Ｃ２方向に変位した際に第２スライダー２３が当接する位置には、第２リミットスイッチ３７が組み込まれ、第２スライダー２３が図３中の矢印Ｃ１方向に変位した際に第２スライダー２３が当接する位置には、第３リミットスイッチ３９が組み込まれ、これらにより、第２スライダー２３がスライドしたかどうかを検出できるようになっている。したがって、第２リミットスイッチ３７、第３リミットスイッチ３９により、第２スライダー２３の動作完了や動作不良などを検出し、モータ２５に対する電力の供給／停止制御を実施することができる。
【００５７】
以上のように構成された不正開放防止装置１は、図５に示すように、遊技機５０に対して取り付けられる。
遊技機５０は、図５に示す通り、遊技島に固定される外枠５２と、外枠５２の正面側に取り付けられた開閉可能な前枠５４を備え、前枠５４を図示の如く開位置まで変位させることにより、遊技機５０の内側（裏面側）に配された各種装置の操作、調整、交換等ができるようになっている。そして、前枠５４にはフック５６，５７、外枠５２にはフック受け５８，５９が、それぞれ取り付けられている。
【００５８】
フック５６，５７は、前枠５４に対して回動可能に取り付けられ、かつ上下動可能なロッド６０に対して回動可能に連結され、ロッド６０が下降位置にある時は、フック受け５８，５９と係合する第１の位置に回動する一方、ロッド６０が上昇位置にある時は、フック受け５８，５９との係合を解除する第２の位置に回動する。上記ロッド６０はバネ（図示略）によって常時は下降位置に維持されるため、フック５６，５７も常時は第１の位置に維持され、一方、鍵穴６２に差し込まれるキー（図示略）によって操作された際にのみ、ロッド６０が上昇位置に変位し、フック５６，５７も第２の位置に変位する。
【００５９】
このような遊技機５０に対して不正開放防止装置１を取り付けるに当たっては、まず、ケース３は任意の場所に固定することができる。このケース３は、リール１１等の構造物を組み込む都合上、どうしてもチューブ４やチューブ固定具６よりもかさ高い構造になるが、本不正開放防止装置１の場合は、ケース３を島設備上など遊技機５０の外部に配設しておいて、遊技機５０の内部には、細長くてかさ張らず引き回しも容易なチューブ４を配設すればよく、遊技機５０内に広い余剰空間がなくても何ら問題なく配設することができる。
【００６０】
チューブ４は、先端側から遊技機５０の内部へ導入される。そして、チューブ４の先端側から引き出されたワイヤ５の先にある連結部７が、フック５７に引っかけられ、チューブ固定具６を利用してチューブ４の先端がフック５７の近傍に固定される。チューブ４は、極端に折り曲げるようなことさえしなければ、自由に湾曲させることができるので、適当に前枠５４の裏側に沿わせるようにして、前枠５４を開放したときにチューブ４が邪魔にならないような経路上に配設される。
【００６１】
図６は、フック５７とフック受け５９とが係合した状態を示す要部の側面図、図７は、フック５７とフック受け５９とが係合を解除した状態を示す要部の側面図である。図６、図７においてチューブ固定具６は、ねじ６４によって図６の紙面手前側にある前枠５４側の構造物に固定されている。
【００６２】
前枠５４を閉めた場合、図６に示すように、フック５７はフック受け５９と係合する。フック５７は、回動軸５７ａを中心に回動可能で、図７に示すように、フック受け５９側の部分が下降する方向へ回動すると、フック受け５９との係合を解除する。
【００６３】
フック５７とフック受け５９とが係合している状態（図６に示した状態）において、外部から不正開放防止装置１にアンロック信号を与え、モータ２５によって第２スライダー２３を図３の矢印Ｃ２方向へ変位させると、爪車１５にピン１７が引っかからなくなって爪車１５の逆方向への回転が阻止されなくなる。その結果、ゼンマイ１３の力でリール１１が正方向に回転し、ワイヤ５の弛みがなくなるまでワイヤ５がリール１１に巻き取られる。
【００６４】
ワイヤ５がリール１１に巻き取られた後、外部から不正開放防止装置１にロック信号を与え、モータ２５によって第２スライダー２３を図３の矢印Ｃ１方向へ変位させると、爪車１５にピン１７が引っかかって爪車１５の逆方向への回転が阻止される。その結果、ワイヤ５をリール１１から引っ張り出すことはできなくなる。
【００６５】
このような状態においては、フック５７を図７に示すような位置に回動させようとしても、ワイヤ５をチューブ４から引き出すことができないため、フック５７は回動せず、フック５７とフック受け５９との係合を解除することはできなくなり、これにより、遊技機５０の前枠５４を開放することができなくなる。
【００６６】
一方、外部から不正開放防止装置１にアンロック信号を与え、モータ２５によって第２スライダー２３を図３の矢印Ｃ２方向へ変位させると、上述の通り、爪車１５にピン１７が引っかからなくなって爪車１５の逆方向への回転が阻止されなくなる。そのため、ワイヤ５を引っ張れば、ワイヤ５をリール１１から引き出すことができる。
【００６７】
このような状態においては、フック５７を図７に示すような位置に回動させようとすると、フック５７に追従してワイヤ５がチューブ４から引き出されるため、フック５７は回動し、フック５７とフック受け５９との係合を解除することができ、これにより、遊技機５０の前枠５４を開放することができるようになる。
【００６８】
さらに、ワイヤ５がリール１１に巻き取られた後は、ワイヤ５にある程度張力がかかっているが、ワイヤ５を切断するとワイヤ５に張力がかからない状態になるため、それに伴って、常時はオフ状態になっている第１リミットスイッチ１９がオン状態になる。そのため、例えば、第１リミットスイッチ１９がオン状態になったら点灯する警告ランプを併設することにより、遊技場の係員がワイヤ５の切断を容易に察知することができる。
【００６９】
以上説明したように、この不正開放防止装置１を利用すれば、合い鍵を使って前枠５４を不正に開放するような操作ができなくなるので、例えば、遊技場の営業時間外に遊技機の前枠を開放して、遊技機に改造を加えるような不正行為を防止することができる。
【００７０】
また、この不正開放防止装置１は、自由に湾曲させて配設することができる細長いチューブ４およびワイヤ５のみを遊技機５０内に配設すれば、残りの部分は任意の場所に配設することができる。したがって、本体部分を遊技機内に配設することが前提となっている上記特許文献１に記載のものとは異なり、チューブ４およびワイヤ５以外の部分（例えばケース３およびその内部機構）が多少大型化しても問題はなく、強度面等を考慮して所望の大きさに設計しても、この不正開放防止装置１を何ら問題なく配設することができる。
【００７１】
さらに、チューブ４およびワイヤ５の先端側の部分を遊技機５０内に配設し、残りの部分は遊技機５０外に配設すれば、この残りの部分を遊技場の島設備側に配設することもできる。したがって、遊技場において遊技機５０の入れ替えを行う際に、不正開放防止装置１の本体部分を遊技機から取り外す手間がかからず、新台入替の際に要する労力を軽減できる。また、遊技機５０内部に配設される部分をチューブ４やワイヤ５などの非電気部品からなる部分だけとすることができ、電気部品を含む部分を遊技機５０外に配設することができるので、規則違反となる遊技機５０の改造に該当すると見なされる可能性は低いと考えられる。
【００７２】
加えて、この不正開放防止装置１の場合、前枠５４を開いた際に、遊技機５０本体側と前枠５４との間にワイヤ５が張られた状態にならないので、遊技場係員が遊技機５０内部のメンテナンス作業を実施する際に、ワイヤ５が邪魔になることはなく、不正開放防止装置１を備えていない遊技機と同等の作業性を確保できる。
【００７３】
以上、本発明の一実施形態について説明したが、本発明は上記一実施形態に限らず、上記とは別の種々の形態で実施することができる。
例えば、上記実施形態において、不正開放防止装置１は、遊技場の島設備および遊技機とは別体の装置として構成され、後から島設備に取り付ける旨の説明を行ったが、あらかじめ島設備の一部として不正開放防止装置が組み込まれていてもよい。この場合、上記ケース３は島設備の構成部品から独立した部品である必要はなく、例えば、島設備の一部を構成する部材に対して、直接リール等の構造物が組み付けられていてもよい。
【００７４】
また、上記実施形態では、第１リミットスイッチ１９によってワイヤ５の断線を検知するように構成してあったが、これ以外の手法でワイヤの断線を検知してもよい。具体例を挙げれば、例えば、ワイヤを導電性の材料で形成した場合、ワイヤの両端間の通電状態に基づいて、ワイヤの断線を検知することができる。
【００７５】
また、上記実施形態では、ゼンマイ１３の力でワイヤ５を巻き取るように構成してあったが、モーターでリールを駆動してワイヤを巻き取るように構成してもよい。
また、上記実施形態では、移動体である第１スライダー１８がスライドすることにより、第１リミットスイッチ１９に当接するように構成してあったが、移動体の動きはスライド動作に限定されるものではない。例えば、回動可能な移動体を設けて、回動に伴って第１リミットスイッチ１９に当接するように構成してあってもよい。この場合は、移動体上にあるコイルスプリング３１との連結点と回動中心との距離ａと、第１リミットスイッチ１９との当接点と回動中心との距離ｂとについて、大小関係を適宜調節することにより、移動体がてことして機能するようになり、第１リミットスイッチ１９に伝わる動作量やトルクを調節することができる。
【００７６】
また、上記実施形態では、ワイヤ５の先端にループをなす連結部７を形成し、連結部７のループ内にフック５７を通すことで、ワイヤ５とフック５７とを連結していたが、ワイヤ５とフック５７との連結方法は、任意に変更できる。例えば、フック側に穴を穿設してその穴にワイヤを通してワイヤをフックに結びつけてもよいし、ワイヤとフックとの間に適当な連結具を介在させてもよい。
【図面の簡単な説明】
【００７７】
【図１】本発明の実施形態として説明した遊技機用の不正開放防止装置の斜視図である。
【図２】ケース内部の構造の一部を示す断面図である。
【図３】ケース内部の構造の別の一部を示す断面図である。
【図４】ワイヤが切断された時の第１リミットスイッチの状態を示す断面図である。
【図５】遊技機に不正開放防止装置を取り付けた状態を示す斜視図である。
【図６】フックとフック受けとが係合した状態を示す要部の側面図である。
【図７】フックとフック受けとが係合を解除した状態を示す要部の側面図である。
【符号の説明】
【００７８】
１・・・不正開放防止装置、３・・・ケース、４・・・チューブ、５・・・ワイヤ、６・・・チューブ固定具、７・・・連結部、１１・・・リール、１３・・・ゼンマイ、１５・・・爪車、１７・・・ピン、１８・・・第１スライダー、１９・・・第１リミットスイッチ、２３・・・第２スライダー、２５・・・モータ、２７・・・ラック、２９・・・ピニオン、３１・・・コイルスプリング、３３・・・接続具、３７・・・第２リミットスイッチ、３９・・・第３リミットスイッチ、５０・・・遊技機、５２・・・外枠、５４・・・前枠、５６，５７・・・フック、５８，５９・・・フック受け、６０・・・ロッド、６２・・・鍵穴。
【図１】
2005118383.tif 000003
【図２】
2005118383.tif 000004
【図３】
2005118383.tif 000005
【図４】
2005118383.tif 000006
【図５】
2005118383.tif 000007
【図６】
2005118383.tif 000008
【図７】
2005118383.tif 000009